(57)【要約】【課題】パネルの前方に居る人に向けて空気を吹き出すことができる送風装置を提供する。【解決手段】送風装置（1）は、パネル（3）と、パネル（3）を囲うように配置された枠部材（5）と、枠部材（5）の複数の吹出口（13）から空気を吹き出させる複数のファン（11）と、ファン（11）の回転速度を制御する制御部（7）と、パネル（3）前方の人（H）の存在を検知するカメラ（30）とを有する。制御部（7）は、各吹出口（13）から吹き出される空気の流量及び流速を調節することで、それぞれの吹出空気が衝突することによって生じる気流の方向を、カメラ（30）で検知された人（H）に向けて吹き出すように変更する。【選択図】図７
2020060133.tif 000002
【特許請求の範囲】
【請求項１】
パネル（3）と、該パネル（3）の前方へ空気を吹き出す送風ユニット（10）とを備えた送風装置であって、
前記パネル（3）の前方の人（H）の存在を検知する人検知部（30）と、
前記人検知部（30）で検知された人（H）に向けて空気を吹き出すように、前記送風ユニット（10）の送風動作を制御する制御部（7）とを備えたことを特徴とする送風装置。
【請求項２】
請求項１において、
前記人検知部（30）は、前記パネル（3）から前記人（H）までの距離を測定することを特徴とする送風装置。
【請求項３】
請求項１又は２において、
前記制御部（7）は、前記人検知部（30）で人（H）の存在が検知されない場合に前記送風ユニット（10）の送風動作を停止する一方、該人検知部（30）で人（H）の存在が検知された場合に該送風ユニット（10）の送風動作を行うことを特徴とする送風装置。
【請求項４】
請求項１乃至３のうち何れか１つにおいて、
前記制御部（7）は、前記人検知部（30）で複数の人（H）の存在が検知された場合に、該複数の人（H）のうちの１人に向けて空気を吹き出すように、前記送風ユニット（10）の送風動作を制御することを特徴とする送風装置。
【請求項５】
請求項１乃至４のうち何れか１つにおいて、
前記送風ユニット（10）から吹き出される空気に香り成分を付加する香り付加部（35）を備えたことを特徴とする送風装置。
【請求項６】
請求項１乃至５のうち何れか１つにおいて、
前記送風ユニット（10）は、前記パネル（3）を囲うように配置された複数のファン（11）を有し、
前記複数のファン（11）は、複数の方向から互いに衝突するように空気を吹き出すことによって、前記パネル（3）の前方へ向かう気流を生じさせ、
前記制御部（7）は、前記気流の方向が変わるように、前記複数のファン（11）から吹き出される空気の流速、流量、向きのうち少なくとも１つを調節することを特徴とする送風装置。
【発明の詳細な説明】
【技術分野】
【０００１】
本開示は、送風装置に関するものである。
【背景技術】
【０００２】
従来より、絵画や写真等のパネルを窓枠内に取り付けて窓に見せるようにした疑似窓が知られている（例えば、特許文献１参照）。
【０００３】
特許文献１には、パネルの両側の窓枠中に風道を設け、送風機から風道に送り込まれた風を風口から吹き出してパネルの中央部で衝突させることで、パネル前方に向かう気流を発生させるようにした構成が開示されている。
【先行技術文献】
【特許文献】
【０００４】
【特許文献１】特開平６−１９３２４５号公報
【発明の概要】
【発明が解決しようとする課題】
【０００５】
ところで、特許文献１には、パネルの中央部で空気を衝突させ、パネル前方へ向かう気流を生じさせることしか開示されていない。そのため、例えば、人がパネルの中央部から左右に離れた位置でパネルを見ている場合、その人には風が当たらないので、パネルから風が吹いている感覚を生じさせることができない。
【０００６】
本開示の目的は、パネルの前方に居る人に向けて空気を吹き出すことができる送風装置を提供することにある。
【課題を解決するための手段】
【０００７】
本開示の第１の態様は、パネル（3）と、該パネル（3）の前方へ空気を吹き出す送風ユニット（10）とを備えた送風装置であって、前記パネル（3）の前方の人（H）の存在を検知する人検知部（30）と、前記人検知部（30）で検知された人（H）に向けて空気を吹き出すように、前記送風ユニット（10）の送風動作を制御する制御部（7）とを備えたものである。
【０００８】
第１の態様では、パネル（3）の前方の人（H）の存在が人検知部（30）で検知されると、検知された人（H）に向けて空気が吹き出されるように、送風ユニット（10）の送風動作が制御される。
【０００９】
これにより、パネル（3）の前方のどの位置に人（H）が居たとしても、その人（H）に向けて空気を吹き出すことで、パネル（3）から風が吹いている感覚を生じさせることができる。
【００１０】
本開示の第２の態様は、第１の態様において、前記人検知部（30）は、前記パネル（3）から前記人（H）までの距離を測定するものである。
【００１１】
第２の態様では、パネル（3）から人（H）までの距離を測定することで、パネル（3）の前方の上下左右方向だけではなく奥行方向についても考慮して、人（H）に向けて空気を吹き出すことができる。
【００１２】
本開示の第３の態様は、第１又は第２の態様において、前記制御部（7）は、前記人検知部（30）で人（H）の存在が検知されない場合に前記送風ユニット（10）の送風動作を停止する一方、該人検知部（30）で人（H）の存在が検知された場合に該送風ユニット（10）の送風動作を行うものである。
【００１３】
第３の態様では、人検知部（30）で人（H）の存在が検知されない場合に、送風ユニット（10）の送風動作を停止することで、送風ユニット（10）の消費電力を抑えることができる。また、人（H）の存在が検知された場合に、送風ユニット（10）の送風動作を再開すればよい。
【００１４】
本開示の第４の態様は、第１乃至第３の態様のうち何れか１つにおいて、前記制御部（7）は、前記人検知部（30）で複数の人（H）の存在が検知された場合に、該複数の人（H）のうちの１人に向けて空気を吹き出すように、前記送風ユニット（10）の送風動作を制御するものである。
【００１５】
第４の態様では、人検知部（30）で複数の人（H）の存在が検知された場合には、複数の人（H）の１人に向けて空気を吹き出すようにしている。例えば、複数の人（H）のうち、特定の色の服を着ている人（H）や、識別用のＩＤカードを装着している人（H）など、予め設定された条件の人（H）に向けて空気を吹き出すようにすればよい。
【００１６】
本開示の第５の態様は、第１乃至第４の態様のうち何れか１つにおいて、前記送風ユニット（10）から吹き出される空気に香り成分を付加する香り付加部（35）を備えたものである。
【００１７】
第５の態様では、送風ユニット（10）から吹き出される空気に香り成分、例えば、海や草原の映像をパネル（3）に表示したときに潮風や草木の香りを付加して臨場感を高めたり、食べ物の映像をパネル（3）に表示したときにその食べ物の香りを付加して食欲をそそる等、訴求性の高い体感を人に与えることができる。
【００１８】
本開示の第６の態様は、第１乃至第５の態様のうち何れか１つにおいて、前記送風ユニット（10）は、前記パネル（3）を囲うように配置された複数のファン（11）を有し、前記複数のファン（11）は、複数の方向から互いに衝突するように空気を吹き出すことによって、前記パネル（3）の前方へ向かう気流を生じさせ、前記制御部（7）は、前記気流の方向が変わるように、前記複数のファン（11）から吹き出される空気の流速、流量、向きのうち少なくとも１つを調節するものである。
【００１９】
第６の態様では、例えば、１つのファン（11）から吹き出る空気の流速又は流量を増やすと、衝突した気流の向きは、流速又は流量を増やしたファン（11）とは逆側に向く。また、例えば、１つのファン（11）から吹き出される空気の吹き出し方向を変えると、空気が衝突して生じた気流の向きも変化する。したがって、吹出空気が衝突して発生する気流の方向を調節して、人（H）に向けて空気を吹き出すことができる。
【図面の簡単な説明】
【００２０】
【図１】図１は、本実施形態に係る送風装置の構成を示す正面図である。
【図２】図２は、送風装置の構成を示すブロック図である。
【図３】図３は、図１のＸ−Ｘ矢視断面図である。
【図４】図４は、各吹出空気の流量を均一にしたときの送風装置から流れる気流のシミュレーション結果を示す図である。
【図５】図５は、左右の吹出口からの吹出空気の流量を異ならせたときの図４相当図である。
【図６】図６は、人がパネル前方の中央位置に居るときの空気の流れを示す正面図である。
【図７】図７は、人がパネル前方の中央位置から右方に移動したときの空気の流れを示す正面図である。
【図８】図８は、本実施形態の変形例１の図３相当図である。
【図９】図９は、本実施形態の変形例２に係る送風装置の構成を示す正面図である。
【図１０】図１０は、人がパネル前方の中央位置から右方に移動したときの空気の流れを示す正面図である。
【発明を実施するための形態】
【００２１】
《実施形態》
実施形態について説明する。本実施形態の送風装置（1）は、例えば、室内の壁面に設けられ、室内に送風するために用いられる。
【００２２】
−送風装置の全体構成−
図１に示すように、送風装置（1）は、パネル（3）と、枠部材（5）と、送風ユニット（10）と、制御部（7）と、人検知部としてのカメラ（30）とを備えている。
【００２３】
パネル（3）は、横長の矩形状に形成されたディスプレイで構成されている。パネル（3）には、静止画や動画が表示されている。なお、パネル（3）は、絵画、写真等で構成されていてもよい。
【００２４】
枠部材（5）は、パネル（3）を囲うように配置されている。すなわち、枠部材（5）は、パネル（3）に対応した矩形状に構成されている。具体的に、枠部材（5）は、第１縁部（5a）、第２縁部（5b）、第３縁部（5c）、及び第４縁部（5d）を有する。
【００２５】
第１縁部（5a）は、枠部材（5）の長辺のうち下側の辺を構成する。第２縁部（5b）は、枠部材（5）の長辺のうち上側の辺を構成する。第３縁部（5c）は、枠部材（5）の短辺のうち図１に向かって左側の辺を構成する。第４縁部（5d）は、枠部材（5）の短辺のうち図１に向かって右側の辺を構成する。
【００２６】
第１縁部（5a）と第２縁部（5b）とは、パネル（3）を挟んで互いに対向する。第３縁部（5c）と第４縁部（5d）とは、パネル（3）を挟んで互いに対向する。枠部材（5）は、中空に形成されている。枠部材（5）の詳細については後述する。
【００２７】
送風ユニット（10）は、複数のファン（11）で構成されている。ファン（11）は、第１縁部（5a）、第２縁部（5b）、第３縁部（5c）、及び第４縁部（5d）にそれぞれ１つずつ配置される。ファン（11）は、例えば、クロスフローファンで構成されており、後述する吹出口（13）へ空気を送る。
【００２８】
カメラ（30）は、枠部材（5）の左右両側に一対設けられている。カメラ（30）は、パネル（3）の前方の人（H）の存在を検知するものであり、検知された人（H）の位置情報、つまり、パネル（3）前方の上下左右方向のどの位置に人（H）が居るのかを示す情報が制御部（7）に送信される。
【００２９】
また、カメラ（30）は、枠部材（5）の左右両側に設けられているので、奥行方向の情報を得ることができる。つまり、カメラ（30）によって、パネル（3）から人（H）までの距離を測定することもできる。そのため、カメラ（30）で検知された位置情報には、パネル（3）前方の奥行方向のどの位置に人（H）が居るのかを示す情報も含まれる。
【００３０】
制御部（7）は、枠部材（5）内に配置されている。図２に示すように、制御部（7）は、ファン（11）に対して回転数指令を送信して、ファン（11）の回転速度を調節する。また、制御部（7）は、パネル（3）に対して映像出力信号を送信して、パネル（3）に映像を表示させる。
【００３１】
−枠部材−
図１及び図３に示すように、枠部材（5）は、内周面に、４つの空気の吹出口（13）が設けられている。各吹出口（13）は、パネル（3）の各辺に対応する位置に形成されている。各吹出口（13）には、ファン（11）が１つずつ配置されている。ファン（11）から送られた空気は、吹出口（13）を通過して枠部材（5）から吹き出される。各吹出口（13）からは、一方向に空気が吹き出される。
【００３２】
第１縁部（5a）は、第１吹出口（13a）、第１吸込口（15a）、第１ファン（11a）、温度調節器（17）、及び通風路（14）を備えている。第１縁部（5a）は、断面略四角形に形成されている。
【００３３】
第１吹出口（13a）は、第１縁部（5a）の上面に形成されている。第１吹出口（13a）は、第１縁部（5a）の長手方向（左右方向）に延びる細長い開口である。第１縁部（5a）の上面には、第１吹出口（13a）に沿うようにフラップ（16）が設けられている。フラップ（16）の傾斜角度に応じて、第１吹出口（13a）からの吹出空気の向きが変わる。
【００３４】
第１吸込口（15a）は、第１縁部（5a）の下面に形成されている。第１吸込口（15a）は、第１縁部（5a）の長手方向（左右方向）に延びる細長い開口である。
【００３５】
第１ファン（11a）は、第１吹出口（13a）と第１吸込口（15a）との間に位置する。第１ファン（11a）は、枠部材（5）の外側の空気を第１吸込口（15a）から取り入れて、第１吹出口（13a）に送る。第１ファン（11a）から送られた空気は、第１吹出口（13a）を通過して上方に吹き出される。
【００３６】
温度調節器（17）は、第１ファン（11a）と第１吸込口（15a）との間に配置されている。温度調節器（17）は、例えば、室外ユニット（図示省略）に接続される熱交換器により構成されている。温度調節器（17）の温度を変化させることで、第１吹出口（13a）から吹き出す空気の温度を調節する。
【００３７】
第１縁部（5a）は、前側部材（19）及び後側部材（18）を有する。前側部材（19）は、第１縁部（5a）の上面における前方（図３で左側）寄りの位置から第１ファン（11a）の上面に向かって延びている。後側部材（18）は、第１縁部（5a）の上面における後方（図３で右側）寄りの位置から第１ファン（11a）の下面に向かって延びている。前側部材（19）と後側部材（18）との間には、通風路（14）が区画されている。通風路（14）は、第１ファン（11a）と第１吹出口（13a）との間に形成されている。通風路（14）は、第１ファン（11a）から吹き出された空気を第１吹出口（13a）へ導く。
【００３８】
第２縁部（5b）は、第２吹出口（13b）、第２吸込口（15b）、第２ファン（11b）、温度調節器（17）、及び通風路（14）を備えている。第２吹出口（13b）は、第２縁部（5b）の下面に形成されている。第２吸込口（15b）は、第２縁部（5b）の上面に形成されている。
【００３９】
第２ファン（11b）は、第２吹出口（13b）と第２吸込口（15b）との間に位置する。第２ファン（11b）は、枠部材（5）の外側の空気を第２吸込口（15b）から取り入れて、第２吹出口（13b）に送る。第２ファン（11b）から送られた空気は、第２吹出口（13b）を通過して下方に吹き出される。
【００４０】
第３縁部（5c）は、第３吹出口（13c）、第３吸込口（15c）、第３ファン（11c）、温度調節器（17）、及び通風路（14）を備えている。第３吹出口（13c）は、第３縁部（5c）の右面に形成されている。第３吸込口（15c）は、第３縁部（5c）の左面に形成されている。
【００４１】
第３ファン（11c）は、第３吹出口（13c）と第３吸込口（15c）との間に位置する。第３ファン（11c）は、枠部材（5）の外側の空気を第３吸込口（15c）から取り入れて、第３吹出口（13c）に送る。第３ファン（11c）から送られた空気は、第３吹出口（13c）を通過して右方に吹き出される。
【００４２】
第４縁部（5d）は、第４吹出口（13d）、第４吸込口（15d）、第４ファン（11d）、温度調節器（17）、及び通風路（14）を備えている。第４吹出口（13d）は、第４縁部（5d）の左面に形成されている。第４吸込口（15d）は、第４縁部（5d）の右面に形成されている。
【００４３】
第４ファン（11d）は、第４吹出口（13d）と第４吸込口（15d）との間に位置する。第４ファン（11d）は、枠部材（5）の外側の空気を第４吸込口（15d）から取り入れて、第４吹出口（13d）に送る。第４ファン（11d）から送られた空気は、第４吹出口（13d）を通過して左方に吹き出される。
【００４４】
なお、第２縁部（5b）、第３縁部（5c）及び第４縁部（5d）の内部構造については、第１縁部（5a）の内部構造と同様であるため、説明を省略する。
【００４５】
このように、各吹出口（13）は、それぞれの吹出方向が異なる。また、第１吹出口（13a）と第２吹出口（13b）とが向かい合い、第３吹出口（13c）と第４吹出口（13d）とが向かい合う。
【００４６】
枠部材（5）は、各吹出口（13）が形成された４つの方向から互いに衝突するように空気を吹き出すことによって、パネル（3）の前方へ向かう気流を生じさせる。具体的に、枠部材（5）は、パネル（3）の中央側に向かってパネル（3）表面に沿うように空気を吹き出して、パネル（3）の中央部の前方で空気を衝突させている。
【００４７】
−制御部−
制御部（7）は、プロセッサ（例えば、マイクロコントローラ）と、プロセッサを動作させるためのソフトウェアを格納するメモリディバイス（例えば、半導体メモリ）とを備えている。また、メモリディバイスには、制御部（7）の制御動作に必要なデータなども格納されている。
【００４８】
制御部（7）は、各ファン（11）の回転速度を調節することで、各吹出口（13）から吹き出される空気の流量及び流速を調節する。具体的に、制御部（7）は、それぞれの吹出口（13）から吹き出される空気の流量の合計が一定に保たれるように、それぞれの方向から吹き出される空気の流量を調節可能である。
【００４９】
制御部（7）は、各吹出口（13）から吹き出される空気の流量及び流速を調節することで、それぞれの吹出空気が衝突することによって生じる気流の方向を変えることができる。
【００５０】
図４及び図５は、本実施形態の送風装置（1）から流れる気流（F）のシミュレーション結果を示す。
【００５１】
図４では、制御部（7）は、各吹出口（13）から吹き出される空気の流量及び流速が等しくなるように調節している。この場合、気流（F）は、パネル（3）の中央部の前方からさらに前方に向かってほぼ真っ直ぐ流れる。
【００５２】
一方、制御部（7）は、気流を向けたい方向とは逆側に位置する吹出口からの吹出空気の流量が残りの吹出口から吹出空気の流量よりも相対的に多くなり、且つ流速が残りの吹出口の流速よりも相対的に速くなるように、各ファン（11）の回転速度を個別に調節することができる。
【００５３】
例えば、気流を下向きにしたいとき、制御部（7）は、第２ファン（11b）の回転速度を上げ、第１ファン（11a）、第３ファン（11c）及び第４ファン（11d）の回転速度を下げる。そうすることで、第２吹出口（13b）からの吹出空気の流量が、第１吹出口（13a）、第３吹出口（13c）及び第４吹出口（13d）からの吹出空気の流量よりも相対的に多くなり、流速が、第１吹出口（13a）、第３吹出口（13c）及び第４吹出口（13d）からの吹出空気の流速よりも相対的に速くなる。
【００５４】
また、例えば、気流を右向きにしたいとき、制御部（7）は、第３ファン（11c）の回転速度を上げ、第１ファン（11a）、第２ファン（11b）及び第４ファン（11d）の回転速度を下げる。そうすることで、第３吹出口（13c）からの吹出空気の流量が、第１吹出口（13a）、第２吹出口（13b）及び第４吹出口（13d）からの吹出空気の流量よりも相対的に多くなり、流速が、第１吹出口（13a）、第２吹出口（13b）及び第４吹出口（13d）からの吹出空気の流速よりも相対的に速くなる。
【００５５】
また、例えば、気流を左斜め上向きにしたいとき、制御部（7）は、第１ファン（11a）及び第４ファン（11d）の回転速度を上げ、第２ファン（11b）及び第３ファン（11c）の回転速度を下げる。そうすることで、第１吹出口（13a）及び第４吹出口（13d）からの吹出空気の流量が、第２吹出口（13b）及び第３吹出口（13c）からの吹出空気の流量よりも相対的に多くなり、流速が、第２吹出口（13b）及び第３吹出口（13c）からの吹出空気の流速よりも相対的に速くなる。
【００５６】
図５に示すシミュレーションでは、第４吹出口（13d）からの吹出空気の流量は、第１吹出口（13a）、第２吹出口（13b）、第３吹出口（13c）からの吹出空気の流量より多い。また、第４吹出口（13d）からの吹出空気の流速は、第１吹出口（13a）、第２吹出口（13b）、第３吹出口（13c）からの流速よりも相対的に速い。
【００５７】
この場合、気流（F）は、パネル（3）の中央部の前方から第４吹出口（13d）の反対側（図５で左側）寄りに向かって流れる。
【００５８】
制御部（7）は、各縁部（5）に配置されたフラップ（16）の傾斜角度を調節することで、各吹出口（13）から吹き出される空気の向きを調節する。制御部（7）は、各吹出口（13）から吹き出される空気の向きを調節することによって、それぞれの吹出空気が衝突することによって生じる気流の方向を変えることができる。
【００５９】
例えば、気流を下向きにしたいとき、制御部（7）は、第２吹出口（13b）から前方寄りに空気が吹き出るように、第２縁部（5b）のフラップの傾斜角度を調節する。
【００６０】
また、例えば、気流を右向きにしたいとき、制御部（7）は、第３吹出口（13c）から前方寄りに空気が吹き出るように、第３縁部（5c）のフラップの傾斜角度を調節する。
【００６１】
また、例えば、気流を左斜め上向きにしたいとき、制御部（7）は、第１吹出口（13a）及び第４吹出口（13d）から前方寄りに空気が吹き出るように、第１縁部（5a）及び第４縁部（5d）のフラップの傾斜角度を調節する。
【００６２】
制御部（7）は、各ファン（11）の回転速度の調節と各フラップ（16）の傾斜角度の調節とを組み合わせて、それぞれの吹出空気が衝突することによって生じる気流の方向を変えてもよい。また、各ファン（11）の回転速度の調節のみでそれぞれの吹出空気が衝突することによって生じる気流の方向を変えてもよく、各フラップ（16）の傾斜角度の調節のみでそれぞれの吹出空気が衝突することによって生じる気流の方向を変えてもよい。
【００６３】
このように、吹出空気が衝突して発生する気流の方向を調節することで、パネル（3）の表示に合わせて気流の方向を変更することができる。例えば、パネル（3）が外の風景を表示する場合には、送風装置（1）は、様々な方向に送風することで、自然の風に近い送風を行うことができる。また、パネル（3）が動画を表示する場合には、送風装置（1）は、動画に合わせて送風の向きを変えて、臨場感を与えることができる。
【００６４】
−人の検知について−
本実施形態では、パネル（3）の前方に居る人（H）に向けて空気が吹き出されるように、気流の方向を変えるようにしている。
【００６５】
具体的に、図６に示すように、パネル（3）を上下に３等分、左右に３等分した合計９つの吹き出しエリアを設定しておく。図６に示す例では、パネル（3）の上段の吹き出しエリアを、左側から順に「１」、「２」、「３」とする。また、パネル（3）の中段の吹き出しエリアを、左側から順に「４」、「５」、「６」とする。また、パネル（3）の下段の吹き出しエリアを、左側から順に「７」、「８」、「９」とする。
【００６６】
そして、左右のカメラ（30）によって、パネル（3）の前方のどの吹き出しエリア内に人（H）が居るのかを検知する。図６に示す例では、パネル（3）の中央位置、つまり、吹き出しエリア「５」、「８」に人（H）が居るので、このエリアに向けて空気が吹き出されるように、ファン（11）の回転速度を調節する。
【００６７】
なお、吹き出しエリア「５」、「８」の両方に空気を吹き出すようにしてもよいが、本実施形態では、人（H）が風の流れを感じやすいように、人（H）の顔、つまり、吹き出しエリア「５」に向けて空気を吹き出すようにしている。
【００６８】
図６では、制御部（7）は、各吹出口（13）から吹き出される空気の流量及び流速が等しくなるように調節している。この場合、気流（F）は、パネル（3）の中央部の前方からさらに前方に向かってほぼ真っ直ぐ流れる。これにより、人（H）の顔に空気が吹き出され、パネル（3）から風が吹いている感覚を生じさせることができる。
【００６９】
次に、図７に示すように、人（H）がパネル（3）の中央位置から右方に移動した場合について説明する。図７に示す例では、パネル（3）の右側位置、つまり、吹き出しエリア「６」、「９」に人（H）が居るので、このエリアに向けて空気が吹き出されるように、ファン（11）の回転速度を調節する。なお、先ほどと同様に、人（H）の顔、つまり、吹き出しエリア「６」に向けて空気を吹き出すようにする。
【００７０】
図７では、制御部（7）は、第３ファン（11c）の回転速度を上げ、第１ファン（11a）、第２ファン（11b）及び第４ファン（11d）の回転速度を下げる。そうすることで、第３吹出口（13c）からの吹出空気の流量が、第１吹出口（13a）、第２吹出口（13b）及び第４吹出口（13d）からの吹出空気の流量よりも相対的に多くなり、流速が、第１吹出口（13a）、第２吹出口（13b）及び第４吹出口（13d）からの吹出空気の流速よりも相対的に速くなる。これにより、気流が右向きとなり、人（H）の顔に空気が吹き出され、パネル（3）から風が吹いている感覚を生じさせることができる。
【００７１】
ここで、人（H）がパネル（3）の前から離れるように移動して、カメラ（30）によって人（H）の存在が検知されなくなった場合に、制御部（7）は、ファン（11）の送風動作を停止させるようにすればよい。これにより、送風装置（1）の消費電力を抑えることができる。また、カメラ（30）によって人（H）の存在が検知された場合に、制御部（7）は、ファン（11）の送風動作を再開させるようにすればよい。
【００７２】
また、制御部（7）は、カメラ（30）によって複数の人（H）の存在が検知された場合に、複数の人（H）のうちの１人に向けて空気を吹き出すように、ファン（11）の送風動作を制御するようにしてもよい。
【００７３】
例えば、複数の人（H）のうち、特定の色の服を着ている人（H）や、識別用のＩＤカードを装着している人（H）など、予め設定された条件の人（H）に向けて空気を吹き出すようにすればよい。
【００７４】
−実施形態の効果−
本実施形態の送風装置（1）は、パネル（3）と、パネル（3）の前方へ空気を吹き出す送風ユニット（10）とを備えたものである。そして、パネル（3）の前方の人（H）の存在を検知するカメラ（30）（人検知部）と、カメラ（30）で検知された人（H）に向けて空気を吹き出すように、送風ユニット（10）の送風動作を制御する制御部（7）とを備えたものである。
【００７５】
本実施形態では、パネル（3）の前方の人（H）の存在がカメラ（30）で検知されると、検知された人（H）に向けて空気が吹き出されるように、送風ユニット（10）の送風動作が制御される。
【００７６】
これにより、パネル（3）の前方のどの位置に人（H）が居たとしても、その人（H）に向けて空気を吹き出すことで、パネル（3）から風が吹いている感覚を生じさせることができる。
【００７７】
また、本実施形態の送風装置（1）は、カメラ（30）は、パネル（3）から人（H）までの距離を測定するものである。
【００７８】
本実施形態では、パネル（3）から人（H）までの距離を測定することで、パネル（3）の前方の上下左右方向だけではなく奥行方向についても考慮して、人（H）に向けて空気を吹き出すことができる。
【００７９】
また、本実施形態の送風装置（1）は、制御部（7）は、カメラ（30）で人（H）の存在が検知されない場合に送風ユニット（10）の送風動作を停止する一方、カメラ（30）で人（H）の存在が検知された場合に送風ユニット（10）の送風動作を行うものである。
【００８０】
本実施形態では、カメラ（30）で人（H）の存在が検知されない場合に、送風ユニット（10）の送風動作を停止することで、送風ユニット（10）の消費電力を抑えることができる。また、人（H）の存在が検知された場合に、送風ユニット（10）の送風動作を再開すればよい。
【００８１】
また、本実施形態の送風装置（1）は、制御部（7）は、カメラ（30）で複数の人（H）の存在が検知された場合に、複数の人（H）のうちの１人に向けて空気を吹き出すように、送風ユニット（10）の送風動作を制御するものである。
【００８２】
本実施形態では、カメラ（30）で複数の人（H）の存在が検知された場合には、複数の人（H）の１人に向けて空気を吹き出すようにしている。例えば、複数の人（H）のうち、特定の色の服を着ている人（H）や、識別用のＩＤカードを装着している人（H）など、予め設定された条件の人（H）に向けて空気を吹き出すようにすればよい。
【００８３】
また、本実施形態の送風装置（1）は、送風ユニット（10）は、パネル（3）を囲うように配置された複数のファン（11）を有し、複数のファン（11）は、複数の方向から互いに衝突するように空気を吹き出すことによって、パネル（3）の前方へ向かう気流を生じさせ、制御部（7）は、気流の方向が変わるように、複数のファン（11）から吹き出される空気の流速、流量、向きのうち少なくとも１つを調節するものである。
【００８４】
本実施形態では、例えば、１つのファン（11）から吹き出る空気の流速又は流量を増やすと、衝突した気流の向きは、流速又は流量を増やしたファン（11）とは逆側に向く。また、例えば、１つのファン（11）から吹き出される空気の吹き出し方向を変えると、空気が衝突して生じた気流の向きも変化する。したがって、吹出空気が衝突して発生する気流の方向を調節して、人（H）に向けて空気を吹き出すことができる。
【００８５】
−実施形態の変形例１−
図８に示すように、枠部材（5）の第１縁部（5a）は、前側部材（19）及び後側部材（18）を有する。前側部材（19）は、第１縁部（5a）の上面における前方（図８で左側）寄りの位置から第１ファン（11a）の上面に向かって延びている。
【００８６】
後側部材（18）は、第１縁部（5a）の上面における後方（図８で右側）寄りの位置から第１ファン（11a）の下面に向かって延びている。前側部材（19）と後側部材（18）との間には、通風路（14）が区画されている。
【００８７】
通風路（14）は、第１ファン（11a）と第１吹出口（13a）との間に形成されている。通風路（14）は、第１ファン（11a）から吹き出された空気を第１吹出口（13a）へ導く。
【００８８】
前側部材（19）には、香り付加部（35）が取り付けられている。香り付加部（35）は、香り成分が含まれた図示しないカートリッジを有し、香り成分を噴出口（35a）から噴出可能に構成されている。香り付加部（35）の噴出口（35a）は、前側部材（19）を貫通して通風路（14）に連通している。香り付加部（35）は、噴出口（35a）から香り成分を噴出することで、通風路（14）を流れる空気に香り成分を付加することができる。香り成分が付加された空気は、第１吹出口（13a）を通過して上方に吹き出される。
【００８９】
なお、第２縁部（5b）、第３縁部（5c）及び第４縁部（5d）の内部構造については、第１縁部（5a）の内部構造と同様であるため、説明を省略する。
【００９０】
そして、枠部材（5）は、各吹出口（13）が形成された４つの方向から互いに衝突するように空気を吹き出すことによって、パネル（3）の前方へ向かう気流を生じさせる。これにより、パネル（3）前方の人（H）に向かって、香り成分が付加された空気が吹き出される。
【００９１】
ここで、例えば、海や草原の映像をパネル（3）に表示したときに、潮風や草木の香りを付加すれば、臨場感を高めることができる。
【００９２】
また、食べ物の映像をパネル（3）に表示したときに、その食べ物の香りを付加すれば、パネル（3）から食べ物の香りが出てきているかのような感覚を生じて食欲をそそることができる。このとき、人（H）がパネル（3）の前に居るときにだけ、通風路（14）を流れる空気に香り成分を付加するようにすれば、香り成分の消費量を低減することができる。
【００９３】
また、香り成分としてアロマオイルを付加することで、リラックス効果を高めることもできる。
【００９４】
−実施形態の変形例２−
図９に示すように、パネル（3）には、カメラ（30）で撮影された人（H）のライブ映像が表示されている。パネル（3）に表示された人（H）の映像は、人（H）が移動することによって、同じ方向に移動する。
【００９５】
図９に示す例では、パネル（3）の中央位置に人（H）が居るので、人（H）の顔に向けて空気が吹き出されるように、ファン（11）の回転速度を調節する。制御部（7）は、各吹出口（13）から吹き出される空気の流量及び流速が等しくなるように調節している。この場合、気流は、パネル（3）の中央部の前方からさらに前方に向かってほぼ真っ直ぐ流れる。
【００９６】
これにより、人（H）の顔に空気が吹き出され、パネル（3）から風が吹いている感覚を生じさせることができる。
【００９７】
このとき、パネル（3）には、各吹出口（13）から人（H）に向かう空気の流れが、矢印線でアニメーション表示されている。人（H）は、パネル（3）に表示された自分の姿に対して空気が吹き出されているアニメーション映像を見ることで、空気の流れを視覚的に把握することができる。
【００９８】
なお、このような矢印線のアニメーション表示データは、制御部（7）のメモリに予め保存されており、人（H）の位置情報に応じたアニメーションを適宜パネル（3）に表示させるようにすればよい。
【００９９】
次に、図１０に示すように、人（H）がパネル（3）の中央位置から右方に移動した場合について説明する。図１０に示す例では、パネル（3）の右側位置に人（H）が居るので、人（H）の顔に向けて空気が吹き出されるように、ファン（11）の回転速度を調節する。
【０１００】
制御部（7）は、第３ファン（11c）の回転速度を上げ、第１ファン（11a）、第２ファン（11b）及び第４ファン（11d）の回転速度を下げる。そうすることで、第３吹出口（13c）からの吹出空気の流量が、第１吹出口（13a）、第２吹出口（13b）及び第４吹出口（13d）からの吹出空気の流量よりも相対的に多くなり、流速が、第１吹出口（13a）、第２吹出口（13b）及び第４吹出口（13d）からの吹出空気の流速よりも相対的に速くなる。
【０１０１】
これにより、気流が右向きとなり、人（H）の顔に空気が吹き出され、パネル（3）から風が吹いている感覚を生じさせることができる。
【０１０２】
このとき、パネル（3）には、各吹出口（13）から人（H）に向かう空気の流れが、矢印線でアニメーション表示されている。人（H）は、パネル（3）に表示された自分の姿に対して空気が吹き出されているアニメーション映像を見ることで、人（H）の移動に合わせて空気の流れが追従していることを視覚的に把握することができ、エンターテイメント性を高めることができる。
【０１０３】
《その他の実施形態》
前記実施形態については、以下のような構成としてもよい。
【０１０４】
本実施形態では、パネル（3）に映像を表示して、パネル（3）の前で映像を見ている人（H）に向けて空気を吹き出すようにしたが、この形態に限定するものではない。例えば、人（H）が往来する場所に送風装置（1）を設置して、広告が表示されたパネル（3）の前を通りかかった人（H）に向けて空気を吹き出すことで、人（H）がパネル（3）の広告表示に気が付くような使い方、つまり、デジタルサイネージとして利用してもよい。これにより、宣伝広告の効果を高めることができる。
【０１０５】
また、例えば、送風装置（1）を浴室に設置して、露天風呂の周辺映像をパネル（3）に表示するとともに、浴槽に入っている人（H）に向けて空気を吹き出すことで、例えば、都市部のホテル等、実際に露天風呂を施工することが困難な場所においても、快適な露天風呂体験を実現することができる。
【０１０６】
また、例えば、ボール等の物体がパネル（3）の前に居る人（H）に向かって飛んでくるような映像をパネル（3）に表示して、その物体を受け止められる位置に手を伸ばしたことをカメラ（30）で検知したときに、この手に向かって空気を吹き出すようにしてもよい。これにより、人（H）の手に吹き出された空気によって、手で物体を受け止めたような触感を与えることで、ゲームとしてのエンターテイメント体験を実現することができる。
【０１０７】
また、本実施形態では、パネル（3）を横長の矩形状に形成して、パネル（3）を囲うように枠部材（5）を矩形状に構成しているが、この形態に限定するものではない。例えば、パネル（3）を三角形や六角形等の多角形、又は円形に形成して、パネル（3）を囲うように枠部材（5）を多角形又は円形に構成してもよい。
【０１０８】
また、本実施形態では、枠部材（5）の内周面に４つの吹出口（13）を形成し、各吹出口（13）にファン（11）を１つずつ配置した構成としたが、吹出口（13）やファン（11）の数は、この形態に限定するものではない。
【０１０９】
また、本実施形態では、制御部（7）が吹出空気の流量、流速及び向きのうち１つを調節することにより、吹出空気が衝突することによって生じる気流の方向を変えてもよい。すなわち、吹出口（13）から吹き出される空気の流速、流量、向きのうち少なくとも１つを調節するものであればよい。
【０１１０】
また、本実施形態では、温度調節器（17）として、室外ユニットに接続される熱交換器を挙げたが、これに限定されない、温度調節器（17）として、ヒータやペルチェ素子等を用いてもよい。
【０１１１】
また、本実施形態では、ファン（11）を、クロスフローファンで構成するようにしたが、この形態に限定するものではなく、例えば、プロペラファンやシロッコファン、斜流ファンなどを用いてもよい。
【０１１２】
また、本実施形態では、各吹出口（13）が形成された４つの方向から互いに衝突するように空気を吹き出すことによって、パネル（3）の前方へ向かう気流を生じさせるようにしたが、この形態に限定するものではない。
【０１１３】
例えば、パネル（3）の表面全体に複数の吹出口（13）を設け、パネル（3）の表面全体から空気が吹き出されるようにしてもよい。そして、パネル（3）の中央位置に人（H）が居る場合には、パネル（3）の中央位置に設けられた吹出口から空気を吹き出すとともに、その他の吹出口からの空気の吹き出しを停止するようにすれば、人（H）に向けて空気を吹き出すことができる。
【０１１４】
また、本実施形態では、カメラ（30）を用いて人（H）を検知するようにしたが、この形態に限定するものではなく、例えば、赤外線センサを用いて人（H）を検知してもよい。
【０１１５】
また、本実施形態では、パネル（3）と枠部材（5）とが一体に構成されているが、パネル（3）と枠部材（5）とを別々の部材として構成してもよい。
【０１１６】
以上、実施形態及び変形例を説明したが、特許請求の範囲の趣旨及び範囲から逸脱することなく、形態や詳細の多様な変更が可能なことが理解されるであろう。また、以上の実施形態及び変形例は、本開示の対象の機能を損なわない限り、適宜組み合わせたり、置換したりしてもよい。
【産業上の利用可能性】
【０１１７】
以上説明したように、本開示は、送風装置について有用である。
【符号の説明】
【０１１８】
1    送風装置
3    パネル
7    制御部
10    送風ユニット
11    ファン
30    カメラ（人検知部）
35    香り付加部
H    人
【図１】
2020060133.tif 000003
【図２】
2020060133.tif 000004
【図３】
2020060133.tif 000005
【図４】
2020060133.tif 000006
【図５】
2020060133.tif 000007
【図６】
2020060133.tif 000008
【図７】
2020060133.tif 000009
【図８】
2020060133.tif 000010
【図９】
2020060133.tif 000011
【図１０】
2020060133.tif 000012